(57)【要約】【課題】アースオーガ駆動装置とアースオーガのロッドとの着脱を、安全に、かつ、効率的に行う。【解決手段】アースオーガ駆動装置３とアースオーガ２のロッド２ｂとを着脱するアースオーガの脱着装置において、アースオーガ駆動装置３の駆動軸１４に一体に回転する軸体７と、軸体７にアースオーガ２のロッド２ｂとを着脱自在に連結する連結手段と、連結手段の着脱を操作する操作手段とを備え、連結手段は軸体７の外側に設けたブラケット８と、ブラケット８に設けられた押し棒先端１０ａを軸体７の係合孔の方に付勢させる手段と、ブラケット８の外側を囲む位置に設けられた、凸部１２ｃを有する外殻管１２とから構成され、前記操作手段により、アースオーガ２のロッド２ｂと軸体７とを押し棒１０により着脱する。【選択図】      図３
2004270179.tif 000002
【特許請求の範囲】
【請求項１】
アースオーガ駆動装置とアースオーガのロッドとを着脱するアースオーガの脱着装置において、アースオーガ駆動装置の駆動軸に一体に回転する軸体と、該軸体にアースオーガのロッドとを着脱自在に連結する連結手段と、該連結手段の着脱を作動させる操作手段とを備えたことを特徴とするアースオーガの脱着装置。
【請求項２】
前記軸体は、駆動軸に嵌入する上嵌入凸部とアースオーガのロッドを嵌入する下嵌入凹部とを設け、前記連結手段は、該軸体の外側に設けたブラケットと、該ブラケットに設けられた押し棒先端を軸体の係合孔の方に付勢させる手段と、該ブラケットの外側を囲む位置に設けられた、凸部を有する外殻管とから構成され、前記操作手段により、アースオーガのロッドと該軸体とを押し棒により着脱するように構成した請求項１記載のアースオーガの脱着装置。
【請求項３】
前記連結手段は、該ブラケットに回動自在に枢着したＬ形クランクと、該ブラケットとＬ形クランクとの間に押し棒先端を軸体の係合孔の方に付勢させる手段とからなり、前記操作手段は該外殻管の昇降を地面から操作することにより、該外殻管の凸部とＬ形クランクの接触部との働きでもって、アースオーガのロッドと該軸体とを押し棒により着脱するように構成した請求項２記載のアースオーガの脱着装置。
【請求項４】
前記軸体を駆動軸と別部材とした中間軸体とし、該中間軸体に設けられた下嵌入凹部に穿孔した係合孔と、該係合孔の上部で中間軸体に取り付けられた一対のブラケットと、該ブラケットの上部に回動自在に枢着したＬ形クランクと、該Ｌ形クランクの上腕部の上端は接触部とし、該Ｌ形クランクの下腕部の下端は押し棒の外側部と緩く枢着させ、該ブラケットとＬ形クランクの下腕部の中間部との間に押し棒先端を中間軸体の係合孔の方に付勢させるバネを設け、アースオーガのロッドと該中間軸体とを押し棒により着脱するように構成した請求項３記載のアースオーガの脱着装置。
【請求項５】
前記中間軸体の中間部に第１ストッパを、下端部に第２ストッパを設け、第１ストッパ及び第２ストッパに対応して、前記外殻管の上端には上鍔及び下端には下鍔を設けた請求項４記載のアースオーガの脱着装置。
【請求項６】
前記操作手段を油圧装置により行うように構成した請求項１〜５のいずれか１項に記載のアースオーガの脱着装置。
【請求項７】
請求項１〜６のいずれか１項に記載されたアースオーガの脱着装置を備えたアースオーガ装置。
【発明の詳細な説明】
【０００１】
【発明の属する技術分野】
本発明は、基礎工事用機械であるアースオーガ装置の駆動シャフトであるロッドとその駆動装置とを着脱するアースオーガの脱着装置及びそれを備えたアースオーガ装置に関するものである。
【０００２】
【従来の技術】
基礎工事用機械のアースオーガで地中を所定の深さまで掘削するにはアースオーガの中間アースオーガを何本か継ぎ足していかなければならず、その度に、作業員が手作業で駆動軸とアースオーガとをピンにて連結していた。
すなわち、例えば、図５に示すように、アースオーガ２のロッド２ｂをその駆動装置３に取り付けるには、作業員が上方にある基礎工事用機械の駆動装置まで登り、駆動軸１４の下部に設けられた嵌入凹部１４ａに前記ロッド２ｂの上部に設けられた取付凸部２ｃを嵌入し、それらに形成された半円状連結孔２ｄ、１４ｂとを合わせ、その合わされた円状孔に連結ピン１６を手作業で差し込んで取り付けなければならなかった。また、外す時は、連結ピン１６を手作業で抜くことにより外していた。
【０００３】
また、駆動モータの軸とアースオーガの頂部（ロッド）とをボルトで連結していた（例えば、特許文献１参照。）。
【０００４】
【特許文献１】
特開平７−２８６４８８号公報（図９）
【０００５】
【発明が解決しようとする課題】
従来技術における前記手作業は作業員が高所で行わなければならず危険であり、また、連結に時間を要していた。そのため作業の安全上及び効率上問題があった。
したがって、本発明の目的は、前記従来の問題を解決するためになされたもので、作業員が駆動軸とアースオーガのロッドとの連結作業を地上操作で行うことにより、安全に、かつ、効率的に駆動装置とアースオーガのロッドとを簡単に着脱することである。
【０００６】
【課題を解決するための手段】
請求項１に係る発明は、アースオーガ駆動装置とアースオーガのロッドとを着脱するアースオーガの脱着装置において、アースオーガ駆動装置の駆動軸に一体に回転する軸体と、該軸体にアースオーガのロッドとを着脱自在に連結する連結手段と、該連結手段を操作する操作手段とを備えたアースオーガの脱着装置である。
【０００７】
請求項２に係る発明は、前記軸体が、駆動軸に嵌入する上嵌入凸部とアースオーガのロッドを嵌入する下嵌入凹部とを設け、前記連結手段が、該軸体の外側に設けたブラケットと、該ブラケットに設けられた押し棒先端を軸体の係合孔の方に付勢させる手段と、該ブラケットの外側を囲む位置に設けられた、凸部を有する外殻管とから構成され、前記操作手段により、アースオーガのロッドと該軸体とを押し棒により着脱するように構成したアースオーガの脱着装置である。
【０００８】
そして、請求項１及び２に係る発明によれば、作業員が操作手段によりアースオーガ駆動装置とアースオーガのロッドとの着脱を、安全に、かつ、効率的に行うことが可能である。
【０００９】
請求項３に係る発明は、前記連結手段が、該ブラケットに回動自在に枢着したＬ形クランクと、該ブラケットとＬ形クランクとの間に押し棒先端を中間軸体の係合孔の方に付勢させる手段とからなり、前記操作手段が該外殻管の昇降を地面から操作することにより、該外殻管の凸部とＬ形クランクの接触部との働きでもって、アースオーガのロッドと該軸体とを押し棒により着脱するように構成したアースオーガの脱着装置である。
【００１０】
請求項３に係る発明によれば、作業員が操作手段により、外殻管を昇降させて、アースオーガ駆動装置とアースオーガのロッドとを押し棒にて着脱できるので、同着脱作業を、安全に、かつ、効率的に行うことが可能である。
【００１１】
請求項４に係る発明は、前記軸体を駆動軸と別部材とした中間軸体とし、該中間軸体に設けられた下嵌入凹部に穿孔した係合孔と、該係合孔の上部で中間軸体に取り付けられた一対のブラケットと、該ブラケットの上部に回動自在に枢着したＬ形クランクと、該Ｌ形クランクの上腕部の上端は接触部とし、該Ｌ形クランクの下腕部の下端は押し棒の外側部と緩く枢着させ、該ブラケットとＬ形クランクの下腕部の中間部との間に押し棒先端を中間軸体の係合孔の方に付勢させるバネを設け、アースオーガのロッドと該中間軸体とを押し棒により着脱するように構成したアースオーガの脱着装置である。
【００１２】
請求項４に係る発明によれば、中間軸体により、種々のアースオーガ駆動装置の駆動軸にアースオーガを連結することができる。
【００１３】
請求項５に係る発明は、前記中間軸体の中間部に第１ストッパを、下端部に第２ストッパを設け、第１ストッパ及び第２ストッパに対応して、前記外殻管の上端には上鍔及び下端には下鍔を設けたアースオーガの脱着装置である。
【００１４】
請求項５に係る発明によれば、第１ストッパ及び第２ストッパ並びに、外殻管の上鍔及び下鍔を設けるという簡単な構造でアースオーガの着脱作業の操作を容易に行うことが可能である。
【００１５】
請求項６に係る発明は、前記操作手段を油圧装置により行うように構成したアースオーガの脱着装置である。
【００１６】
請求項６に係る発明によれば、地上にて、油圧操作弁を操作することにより、アースオーガ駆動装置とアースオーガのロッドとの着脱を、安全に、かつ、効率的に操作可能である。
【００１７】
請求項７に係る発明はアースオーガの脱着装置を備えたアースオーガ装置である。
【００１８】
請求項７に係る発明によれば、安全に、かつ、効率的に駆動装置とアースオーガのロッドとを着脱できるアースオーガ装置を得る。
【００１９】
【発明の実施の形態】
本発明のアースオーガの脱着装置の好適な実施の形態を図面に基づいて詳細に説明する。
図１は本発明に係るアースオーガの脱着装置を取り付けたアースオーガ装置（基礎工事用機械）の正面図であり、図２は、図１に示されたアースオーガ装置（基礎工事用機械）に中間アースオーガを取り付けたアースオーガ装置（基礎工事用機械）の正面図である。
【００２０】
図１にはアースオーガ装置（基礎工事用機械）の全体が示されており、走行体１に支柱４が立設され、支柱４の上端からワイヤ等により、アースオーガ駆動装置３が吊り下げられている。アースオーガ駆動装置３はモータ等の回転により、第１アースオーガ２を回転させて、その第１アースオーガの先端２ａの掘削部で地中を掘削すると共に、地中下方へ掘進する。
【００２１】
掘削中、第１アースオーガ２が掘進し、その後端が地中に入り込む前に掘削を一旦止め、中間アースオーガである第２アースオーガ２１を図２に示すように第１アースオーガ２に連結する。
すなわち、第２アースオーガ２１の前端部２１ａを第１アースオーガ２の後端部２ｂに接続して、アースオーガ駆動装置３に備えたモータ３ａにより、第２アースオーガ２１及び第１アースオーガ２を回転させ、第１アースオーガ２の先端２ａで再び掘削する。
【００２２】
さらに、掘削して、第２アースオーガの後端２１ｂが地中に入る前に、前述と同様に回転を止めて、第３アースオーガの前端部を接続する。それらの作業を繰り返すことにより、地中の所定の深さまでにアースオーガにより掘削させ、掘削孔に基礎杭等を造成する。
【００２３】
次に、掘削作業における第１アースオーガ２と第２アースオーガ２１との接続について説明する。
上述のように、第１アースオーガ２の掘削が進み、その後端のロッド２ｂが地面近くになったとき、そのロッド２ｂと第２の中間アースオーガである第２アースオーガ２１の前端２１ａを接続する。この場合、第１アースオーガのロッド２ｂと第２アースオーガの前端２１ａとの接続箇所は地面近くにあるので、作業員は手作業により第１アースオーガのロッド２ｂと第２アースオーガの前端２１ａとを従来どおりピンにより連結する。
【００２４】
しかしながら、掘削作業開始時に、第１アースオーガ２のロッド２ｂをアースオーガ装置の駆動軸１４に取り付ける時（図３）又は第２アースオーガの後端２１ｂをアースオーガ装置の駆動軸１４に取り付ける時は、それらの取り付け個所は高所にあるので、後述するアースオーガの脱着装置により連結する。
【００２５】
（アースオーガの脱着装置）
図３及び図４においてアースオーガの脱着装置６の構成を説明する。
図３は、アースオーガの脱着装置によりアースオーガ装置の駆動装置とアースオーガのロッドとを取り付ける前の状態の正面断面図であり、図４は図３のアースオーガ装置の駆動装置とアースオーガのロッドとを取り付けた状態の正面断面図である。
【００２６】
アースオーガの脱着装置６は、中間軸体７、中間軸体７の下方で外側に溶接等で取り付けられた左右一対のブラケット８、ブラケット８に枢着されたＬ型クランク９、一端部がＬ型クランク９の下端に緩く枢着された押し棒１０、駆動装置３に取付部材１４ｂ等で連結された油圧シリンダ１３で昇降することによりＬ型クランク９を作動する外殻管１２等から構成されている。
なお、油圧シリンダ１３のピストン１３ａは別の操作手法により伸縮制御される。
【００２７】
アースオーガ駆動装置３の下部にモータ等の回転を伝達する駆動軸１４を設け、駆動軸１４の下部に六角形の嵌入凹部１４ａを設ける。中間軸体７の上部には嵌入凹部１４ａに嵌入する同形の上嵌入凸部７ｂを設け、下部にはアースオーガの六角形の取付凸部２ｃを嵌入する同形の下嵌入凹部７ａを設ける。駆動軸１４の下部及び中間軸体７の上部をそれぞれ六角形にしたことにより両者の連結ピン１６のピン孔の位置決めを容易にしている。
中間軸体７の中間部には第１ストッパ７ｄを、下端部には第２ストッパ７ｅを設け、下嵌入凹部７ａの周壁に一対の水平に延びた嵌合孔７ｆを穿孔し、一対の嵌合孔７ｆの上方に一対のブラケット８がその外周面に設けられている。
【００２８】
ブラケット８の上部にＬ形クランク９の屈曲部（枢着点９ａ）を回動自在に枢着し、Ｌ形クランク９の上腕部９ｅの上端に接触部９ｃを設け、Ｌ形クランク９の下腕部９ｆの下端は押し棒１０の外端部１０ｂと緩く枢着し、押し棒１０の先端１０ａは嵌合孔７ｆを貫通して、アースオーガの上部にある取付凸部２ｃに形成した係合孔２ｄに係合する。
【００２９】
ブラケット８の外端係止部とＬ形クランク９の下腕部９ｆの中間部９ｄとの間に押しバネ１１を設け、その押しバネ１１の付勢により、押し棒１０の先端１０ａがアースオーガの取付凸部２ｃに形成した係合孔２ｄに係合するようにしている。
【００３０】
ブラケット８の外側を囲む外殻管１２を設け、その外殻管１２の上部には上鍔１２ａを、下部には下鍔１２ｂを形成し、外殻管１２が自重により降りる時は、第１ストッパ７ｄに上鍔１２ａが当たり、外殻管１２がピストン１３ａにより上昇する時は、第２ストッパ７ｅに下鍔１２ｂが当たる。
外殻管１２の内壁には上腕部９ｅ接触部９ｃの案内カム面を構成する内壁凸部１２ｃを設け、外殻管１２が上昇すると内壁凸部１２ｃと上腕部９ｅの上端に形成された接触部９ｃと接触し、Ｌ形クランク９が枢着点９ａを中心に上方へ回動させる。
【００３１】
次に、外殻管１２の昇降動作を説明する。
外殻管１２が下降する場合：
アースオーガ装置の駆動装置３の左右端に設けた取付部材１４ｂと、油圧シリンダ１３上端の上板１３ｂに形成した連結板１３ｄとをピン１５にて連結し、また、ピストン１３ａの下端に下板１３ｃを設けて、アースオーガの脱着装置６を支える。
したがって、ピストン１３ａを伸ばすことにより下板１３ｃを下降させると、下板１３ｃ上に載置された外殻管１２も自重により下降する。すると、Ｌ型クランク９の接触部９ｃが外殻管１２の内壁凸部１２ｃから外れ、Ｌ型クランク９の下腕部９ｆは中間軸体７の方へ回動し、その下腕部９ｆの下端部に緩く枢着された押し棒１０の先端１０ａが中間軸体７の嵌合孔７ｆを貫通し、アースオーガの取付凸部２ｃに形成した係合孔２ｄに係合し、アースオーガ２と駆動軸１４とは中間軸体７を介して連結される。（図３参照。）
【００３２】
外殻管１２が上昇する場合：
ピストン１３ａを縮めることにより下板１３ｃを上昇させると、その下板１３ｃが外殻管１２の下鍔１２ｂに当たり、外殻管１２が上昇し、内壁凸部１２ｃも上昇する。Ｌ形クランク９の接触部９ｃと内壁凸部１２ｃが係合し、Ｌ形クランク９の上腕部９ｅが押しバネに抗して枢着点９ａ中心に上方に回動する。Ｌ形クランク９の下腕部９ｆの下端は押し棒１０の外側部１０ｂと緩く枢着しているので、押し棒１０の先端１０ａがアースオーガの取付凸部２ｃに形成した係合孔２ｄから外れるので、アースオーガ２と中間軸体７は外れ、駆動軸１４とは連結が外れる。（図４参照。）
【００３３】
次に、アースオーガの脱着装置の取付け方法を第３図に基づいて説明する。
駆動軸１４の上嵌入凹部１４ａに、中間軸体７の上嵌入凸部７ｂを嵌入し、上嵌入凹部１４ａの半円溝１４ｂと、中間軸体７の上嵌入凸部７ｂの半円溝７ｃとを合わせ、ピン孔を形成し、そのピン孔に連結ピン１６を嵌入することにより、中間軸体７が駆動軸１４と一体的に回転するように連結される。
中間軸体７の下嵌入凹部７ａにアースオーガの上部に設けた取付凸部２ｃを嵌入する。油圧シリンダ１３のピストン１３ａを伸ばし、ピストン１３ａの下端に取り付けられた下板１３ｃを下降させると、外殻管１２も自重により下降し、内壁凸部１２ｃも下降する。さらに、下板１３ｃが下降すると、外殻管１２も下降し、Ｌ型クランクの上腕部９ｅの上端にある接触部９ｃは外殻管１２の内壁凸部１２ｃから外れ、押し棒１０の先端１０ａは嵌合孔７ｆを貫通して、アースオーガの取付凸部２ｃに形成した係合孔２ｄに係合される。（図４）
アースオーガ装置の駆動軸１４の回転は中間軸体７を介してアースオーガに伝達することにより、掘進する。
【００３４】
次に、アースオーガの脱着装置を外す方法を第４図に基づいて説明する。
ピストン１３ａを縮め、ピストン１３ａの下端に設けられた下板１３ｃを上昇させ、下板１３ｃが外殻管１２の下鍔１２ｂに当たり、外殻管１２が上昇すると共に、内壁凸部１２ｃも上昇する。さらに、下板１３ｃが上昇すると、外殻管１２も上昇し、Ｌ型クランクの上腕部９ｅの上端にある接触部９ｃは外殻管１２の内壁凸部１２ｃと接触し、その上腕部９ｅが押しバネ１１に逆らって上昇し、押し棒１０の先端１０ａは、アースオーガの取付凸部２ｃに形成した係合孔２ｄから外れる。（図３）
そして、中間軸体７に形成した下嵌入凹部７ａからアースオーガの取付凸部２ｃが外れ、アースオーガを中間軸体から離すことができる。
【００３５】
【発明の効果】
請求項１及び２に係る発明に対応する効果：作業員が操作手段によりアースオーガ駆動装置とアースオーガのロッドとを着脱できるので、同着脱作業を、安全に、かつ、効率的に行うことが可能である。
【００３６】
請求項３に係る発明に対応する効果：作業員が操作手段により、外殻管を昇降させて、アースオーガ駆動装置の駆動軸とアースオーガのロッドとを押し棒にて着脱できるので、同着脱作業を、安全に、かつ、効率的に行うことが可能である。
【００３７】
請求項４に係る発明に対応する効果：中間軸体により、種々のアースオーガ駆動装置の駆動軸にアースオーガを連結することができる。
【００３８】
請求項５に係る発明に対応する効果：第１ストッパ及び第２ストッパ並びに、外殻管の上鍔及び下鍔を設けるという簡単な構造でアースオーガの着脱作業を安全に操作することが可能である。
【００３９】
請求項６に係る発明に対応する効果：地上にて、油圧操作弁を操作することにより、アースオーガ駆動装置とアースオーガの上部ロッドとの着脱を、安全に、かつ、効率的に操作可能である。
【００４０】
請求項７に係る発明に対応する効果：安全に、かつ、効率的に駆動装置とアースオーガのロッドとを着脱できるアースオーガ装置を得る。
【図面の簡単な説明】
【図１】本発明のアースオーガの着脱装置を備えたアースオーガ装置（基礎工事用機械）の正面図である。
【図２】図１で示されアースオーガ装置（基礎工事用機械）に第２アースオーガを取り付けた状態の正面図である。
【図３】アースオーガを外した状態であるアースオーガの着脱装置の正面図である。
【図４】アースオーガを連結した状態であるアースオーガの着脱装置の正面図である。
【図５】従来のアースオーガの連結部を説明するための部分正面図である。
【符号の説明】
１…走行体、２…アースオーガ、３…オーガ駆動装置、４…支柱、６…アースオーガの着脱装置、７…中間軸体、８…ブラケット、９…Ｌ型クランク、１０…押し棒、１１…バネ、１２…外殻管、１３…油圧シリンダ、１４…駆動軸、１５…ピン、１６…連結ピン。
【図１】
2004270179.tif 000003
【図２】
2004270179.tif 000004
【図３】
2004270179.tif 000005
【図４】
2004270179.tif 000006
【図５】
2004270179.tif 000007